(57)【要約】【課題】  編集者が迅速に所望の映像シーンを見つけ出すことができるような映像編集支援方法を提供する。【解決手段】  撮像中にユーザが注目すべき映像シーン等に任意に付した電子マークデータや撮像装置が自動的に特徴的な映像シーンに付した電子マークデータを映像コンテンツと関連付けてメディア１１６に記録しておく。編集支援装置において，ユーザに所望の電子マークデータを選択させ，選択された電子マークデータと関連付けられている映像のサムネイルリストを表示し，ユーザがサムネイルを見ながら所望の映像シーンを見つけ出せるようにする。【選択図】    図３
2005236906.tif 000002
【特許請求の範囲】
【請求項１】
再生画面を介して映像コンテンツの編集作業を支援する映像編集支援方法であって：
複数の種類よりなる電子マークデータと前記映像コンテンツとの関連付けを行う工程と，
前記再生画面に前記電子マークデータの種類のリストを表示する工程と，
前記種類のリストから選択された種類に対応する電子マークデータと関連付けられている映像コンテンツのサムネイルを前記再生画面に表示する工程と，
前記サムネイルに対応する前記映像コンテンツを前記再生画面に表示する工程と，
を含むことを特徴とする，映像編集支援方法。
【請求項２】
前記電子マークデータは前記映像コンテンツの任意のフレームを識別する識別子と関連付けられ，前記映像コンテンツのサムネイルは前記フレームのサムネイルであることを特徴とする，請求項１に記載の映像編集支援方法。
【請求項３】
前記映像コンテンツは１テイクの映像コンテンツを複数含んでおり，
前記１テイクの映像コンテンツのサムネイルを前記再生画面に一覧表示する工程をさらに含むことを特徴とする，請求項１に記載の映像編集支援方法。
【請求項４】
前記映像コンテンツの所望の再生部分を識別可能な再生リストの作成を行う工程と，
前記再生リストに基づいて前記再生部分に関連する映像コンテンツのサムネイルを前記再生画面に表示する工程をさらに含むことを特徴とする，請求項１に記載の映像編集支援方法。
【発明の詳細な説明】
【技術分野】
【０００１】
本発明は，映像編集支援方法に関する。
【背景技術】
【０００２】
近年，映像の編集を行う際には，ハードディスクなどに映像を記録して，記録されている映像を編集する，いわゆるノンリニア編集の技術が広く利用されるようになってきた。
【０００３】
また，コンピュータの制御によって，記録再生装置に設けられた第１及び第２の記録再生手段の記録動作及び再生動作を制御して一方の記録再生手段に記録されているビデオデータを他方の記録再生手段に記録し，コンピュータのユーザインタフェース手段を介して指示情報を入力しさえすれば編集素材のダビング及び最終ビデオプログラムのダビングを効率的に行うことができるようにした編集システムもある（例えば，特許文献１参照）。上記システムによれば，例えば外部より持ち込まれた第２の記録媒体に記録されているソースビデオデータを編集素材として第１の記録媒体に容易にダビングすることができると共に，編集の結果生成された最終ビデオプログラムのビデオデータを第１の記録媒体から例えば放送時に使用する第２の記録媒体に容易にダビングすることができる。 
【０００４】
【特許文献１】国際公開第９８／２９８７３号パンフレット
【発明の開示】
【発明が解決しようとする課題】
【０００５】
しかし，所望の映像シーンを含めるように映像を編集するためには編集者は何度も映像を見なくてはならず，時間がかかるという問題があった。
【０００６】
そこで，本発明は，このような問題に鑑みてなされたもので，その目的とするところは，編集者が迅速に所望の映像シーンを見つけ出すことができるような映像編集支援方法を提供することにある。
【課題を解決するための手段】
【０００７】
上記課題を解決するために，本発明のある観点によれば，再生画面を介して映像コンテンツの編集作業を支援する映像編集支援方法が提供される。上記映像編集支援方法は，複数の種類よりなる電子マークデータと前記映像コンテンツとの関連付けを行う工程と，前記再生画面に前記電子マークデータの種類のリストを表示する工程と，前記種類のリストから選択された種類に対応する電子マークデータと関連付けられている映像コンテンツのサムネイルを前記再生画面に表示する工程と，前記サムネイルに対応する映像コンテンツを前記再生画面に表示する工程とを含む。
【０００８】
上記発明によれば，ユーザは，予め所望の映像シーンに適切な電子マークデータを関連付けておき，再生画面に表示される電子マークデータの種類のリストからその電子マークデータに対応する種類を選択することによってその電子マークデータと関連付けられた映像コンテンツのサムネイルを閲覧できる。そのため，サムネイルの中から所望の映像シーンを簡便かつ迅速に見つけ出すことができる。
【０００９】
上記電子マークデータは前記映像コンテンツの任意のフレームを識別する識別子と関連付けられ，前記映像コンテンツのサムネイルは前記フレームのサムネイルであってもよい。
【００１０】
上記映像コンテンツは１テイクの映像コンテンツを複数含んでおり，前記１テイクの映像コンテンツのサムネイルを前記再生画面に一覧表示する工程をさらに含んでもよい。かかる構成によれば，ユーザは，映像コンテンツを再生して見なくても，各テイクの映像コンテンツのサムネイルを閲覧することによって映像コンテンツの概要を把握することができる。なお，１テイクとは，１回の記録開始から終了に至る連続した撮像処理のことである。
【００１１】
上記映像コンテンツの所望の再生部分を識別可能な再生リストの作成を行う工程と，前記再生リストに基づいて前記再生部分に関連する映像コンテンツのサムネイルを前記再生画面に表示する工程をさらに含んでもよい。かかる構成によれば，ユーザは，所望の再生部分のサムネイルを閲覧することによって，実際に再生して見なくてもその映像コンテンツの概要を把握することができる。
【発明の効果】
【００１２】
以上説明したように本発明によれば，編集者が迅速に所望の映像シーンを見つけ出すことができるような映像編集支援方法を提供できるものである。
【発明を実施するための最良の形態】
【００１３】
以下に添付図面を参照しながら，本発明の好適な実施の形態について詳細に説明する。なお，本明細書及び図面において，実質的に同一の機能構成を有する構成要素については，同一の符号を付することにより重複説明を省略する。
【００１４】
まず，図１に基づいて，本実施形態にかかる映像編集支援方法を実施することの可能な編集支援装置について説明する。
【００１５】
本実施形態にかかる映像編集支援方法を実施できる編集支援装置としては，例えば図１に示すように，撮像装置１０２，第１再生装置１０４，第２再生装置１０６などを挙げることができる。
【００１６】
撮像装置１０２は，撮像機能付き映像記録装置であって，いわゆるカムコーダを含むビデオカメラなどである。撮像装置１０２は，撮影した映像（画像および音声を含む）を，例えばＤＶ圧縮方式，ＤＶＣＡＭ圧縮方式またはＭＰＥＧ−ＩＭＸ圧縮方式等の圧縮方式を用いてデジタル化し，デジタル化した映像コンテンツをメディア１１６に記録する。または，後述する第１再生装置１０４や第２再生装置１０６に送信したり，撮像装置１０２がハードディスクを備えていればそのハードディスクに記録してもよい。なお，メディア１１６やハードディスクには，上記映像コンテンツを複数記録することが可能である。具体的には例えば，撮像装置１０２が撮像を開始し，一度撮像を終了する。その後再び撮像を開始し終了する。かかる動作を行う度に，撮像の開始から終了まで，すなわち１回の記録開始から終了に至る連続した撮像処理である１テイクの映像が一つの映像コンテンツになり，上記メディア１１６等に記録される。その結果，メディア１１６等には複数の映像コンテンツが記録されることとなる。以後，１テイクの映像から生成された一つの映像コンテンツを，クリップと称する。
【００１７】
また，撮像装置１０２は，映像コンテンツの記録日時や記録された映像コンテンツの記録時間などの付加情報を上記メディア１１６等に記録できる。また，本実施形態における映像編集支援方法を実施する際に利用される電子マークデータを映像コンテンツと関連付けて上記メディア１１６等に記録することもできる。以後，電子マークデータをエッセンスマークと称する。エッセンスマークについては後述する。さらに，撮像装置１０２は，上記映像コンテンツから，その映像コンテンツよりも低解像度の圧縮映像コンテンツを作成してもよい。圧縮映像コンテンツは低画質であるが容量が小さくなるため，第１再生装置１０４や第２再生装置１０６等に送信しやすくなるほか，映像コンテンツとともにメディア１１６に記録することもできる。圧縮映像コンテンツの作成には，例えば，ＭＰＥＧ４圧縮方式などを利用できる。
【００１８】
上記の通り撮像装置１０２は，一つの映像コンテンツ，換言すると一つのクリップについて，映像コンテンツの他に付加情報，エッセンスマークおよび圧縮映像コンテンツなどをメディア１１６等に記録できる。それらのデータは，例えば図１２に示すような形式で記録される。
【００１９】
図１２に示すように，一つのクリップに関する各データをクリップ毎にフォルダに格納しておくことができる。例えば，図の符号１５４はクリップ番号０００１のクリップに関する各データが格納されたフォルダであり，配下には，クリップの付加情報が記録されている付加情報ファイル１５５，映像コンテンツのビデオ（画像）部分が記録されているビデオファイル１５６，映像コンテンツのオーディオ（音声）部分が記録されているオーディオファイル１５８，圧縮映像コンテンツが記録されている圧縮映像ファイル１６０，エッセンスマークが記録されているエッセンスマークファイル１６２などが格納されている。符号１５２のフォルダには，符号１５４のようなクリップ毎のフォルダが複数格納される。
【００２０】
撮像装置１０２は，撮像対象が表示されるモニタ１１０やビューファインダ１０８を備える。撮像装置１０２は，上記撮像，映像記録機能の他に，映像コンテンツの再生機能を備えていてもよい。その場合には，モニタ１１０やビューファインダ１０８は再生される映像も表示することができる。従って，撮像装置１０２において，編集対象の映像をかかるモニタ１１０やビューファインダ１０８等に表示させて，本実施形態にかかる映像編集支援方法を実施することができる。
【００２１】
メディア１１６は，上記映像コンテンツ，映像コンテンツの付加情報，エッセンスマークや圧縮映像コンテンツを記録可能な記録媒体である。メディア１１６としては，大容量・次世代光ディスク，ＤＶＤ（Ｄｉｇｉｔａｌ  Ｖｅｒｓａｔｉｌｅ  Ｄｉｓｃ），ＣＤ（Ｃｏｍｐａｃｔ  Ｄｉｓｃ）などの光ディスクを例示できる。メディア１１６は光ディスクであることが望ましいが，ＭＯ（Ｍａｇｎｅｔ−Ｏｐｔｉｃａｌ  Ｄｉｓｋ），フレキシブルディスク等のランダムアクセス可能な光磁気ディスク，ＲＡＭ，ＲＯＭ等の半導体メモリであってもよい。光ディスクや光磁気ディスク，半導体メモリであれば，上記の図１２に示した形式で各データを格納することができる。
【００２２】
第１再生装置１０４，第２再生装置１０６は，例えば，ＰＣ（Ｐｅｒｓｏｎａｌ  Ｃｏｍｐｕｔｅｒ），テレビ受像器，ＤＶＤ再生装置などであり，映像コンテンツが記録されたメディア１１６を読み込んで，または撮像装置１０２のＤＶ端子に接続されるなどして，メディア内や撮像装置１０２のハードディスク内等の映像コンテンツを再生する機能を有する。従って，第１再生装置１０４または第２再生装置１０６において，編集対象の映像をディスプレイ１１２，１１４等に表示させて，本実施形態にかかる映像編集支援方法を実施することができる。
【００２３】
以上，映像編集支援方法を実施することの可能な編集支援装置について説明した。次に，図２に基づいてエッセンスマークについて説明する。
【００２４】
エッセンスマークは，電子マークデータであって，本実施形態にかかる映像編集支援方法を実施する際に利用されるものである。エッセンスマークは，例えば撮像時において，映像コンテンツに関連するインデックスを表すメタデータである。従って，エッセンスマークが，映像コンテンツの映像のインデックスとなり，映像コンテンツの映像がどのような映像であるかが，映像コンテンツの再生処理をしなくても把握することができる。なお，エッセンスマークは，映像コンテンツの映像に限定されず，例えば，映像コンテンツの音声のインデックスとなる場合でもよい。
【００２５】
エッセンスマークは，ＳＭＰＴＥ（Ｓｏｃｉｅｔｙ  ｏｆ  Ｍｏｔｉｏｎ  Ｐｉｃｔｕｒｅ  ａｎｄ  Ｔｅｌｅｖｉｓｉｏｎ  Ｅｎｇｉｎｅｅｒｓ）標準規格が定めるところの方法に従い，ＳＤＩ（Ｓｅｒｉａｌ  Ｄｉｇｉｔａｌ  Ｉｎｔｅｒｆａｃｅ）などにより伝送することが可能である。
【００２６】
図２に示すように，本実施の形態にかかるエッセンスマークは，予め予約語として定められている。上記エッセンスマークとしては，記録開始位置の“＿ＲｅｃＳｔａｒｔ”（撮像開始マーク）と，記録終了位置の“＿ＲｅｃＥｎｄ”（撮像終了マーク）と，撮像時にカメラマンの所定ボタンの押下によりマークの位置が指定され，注目すべき時点などを示す“＿ＳｈｏｔＭａｒｋ１”（ショットマーク１）と，“＿ＳｈｏｔＭａｒｋ１”とは別の注目すべき時点などを示す任意位置“＿ＳｈｏｔＭａｒｋ２”（ショットマーク２）と，編集時に設定されるマークであり，映像のつなぎ目に設定されるカット位置を示す“＿Ｃｕｔ”（カットマーク）と，フラッシュ（Ｆｌａｓｈ）検出位置である“＿Ｆｌａｓｈ”（フラッシュマーク）と，撮像装置１０１のレンズフィルタの変更位置を示す“＿ＦｉｌｔｅｒＣｈａｎｇｅ”と，撮像装置１０１のＣＣＤ（撮像素子）等の電子シャッタ速度の変更位置を示す“＿ＳｈｕｔｔｅｒＳｐｅｅｄＣｈａｎｇｅ”（シャッタ変更マーク）と，ゲインの変更位置である“＿ＧａｉｎＣｈａｎｇｅ”（ゲイン変更マーク）と，ホワイトバランスの変更位置である“＿ＷｈｉｔｅＢａｌａｎｃｅＣｈａｎｇｅ”（ホワイトバランスマーク）と，ビデオ出力レベルが限界値を超えた位置の“＿ＯｖｅｒＢｒｉｇｈｔｎｅｓｓ”と，オーディオ（音声）出力レベルが限界値を超えた位置の“＿ＯｖｅｒＡｕｄｉｏＬｉｍｉｔｅｒ”（大音量マーク）と，映像カットを抽出する際に使用される切り出し開始位置を示す“＿Ｉｎ−ＸＸＸ”（編集開始マーク）と，映像カットを抽出する際に使用される切り出し終了位置を示す“＿Ｏｕｔ−ＸＸＸ”（編集終了マーク）と，映像コンテンツ中の代表映像カットを示す“＿ＫｅｙＦｒａｍｅ”（代表カットマーク）などを有する。なお本実施の形態にかかるエッセンスマークは，かかる例に限定されず，その一部であっても，さらに新規に追加する場合であっても実施可能である。
【００２７】
図２に示すエッセンスマークの記録されるタイミングとして，映像コンテンツにおける記録される相対的な位置は，以下に記載の通りである。“＿ＲｅｃＳｔａｒｔ”は，映像コンテンツの記録開始点のフレームであり，“＿ＲｅｃＥｎｄ”は，映像コンテンツの記録終了点のフレームであり，“＿ＳｈｏｔＭａｒｋ１”及び“＿ＳｈｏｔＭａｒｋ２”は，ユーザの指定に基づく撮像装置１０２等からの指定位置であり，“＿Ｃｕｔ”は，カット検出点のフレームであり，“＿Ｆｌａｓｈ”は，フラッシュが検出された地点のフレームであり，“＿ＦｉｌｔｅｒＣｈａｎｇｅ”は，レンズフィルタ変更点のフレームであり，“＿ＳｈｕｔｔｅｒＳｐｅｅｄＣｈａｎｇｅ”は，シャッタ速度変更点のフレームであり，“＿ＧａｉｎＣｈａｎｇｅ”は，ゲイン変更点のフレームであり，“＿ＷｈｉｔｅＢａｌａｎｃｅＣｈａｎｇｅ”は，ホワイトバランス変更点のフレームであり，“＿ＯｖｅｒＢｒｉｇｈｔｎｅｓｓ”は，ビデオ出力レベルが限界値を超えた地点のフレームであり，“＿ＯｖｅｒＡｕｄｉｏＬｉｍｉｔｅｒ”は，音声出力レベルが限界値を超えた地点のフレームであり，“＿Ｉｎ−ＸＸＸ”，
“＿Ｏｕｔ−ＸＸＸ”および“＿ＫｅｙＦｒａｍｅ”は，ユーザの指定に基づく撮像装置１０２等からの指定位置のフレームである。
【００２８】
“＿Ｉｎ−ＸＸＸ”及び“＿Ｏｕｔ−ＸＸＸ”の“ＸＸＸ”は，例えば，Ｉｎ点又はＯｕｔ点が追加されるごとに，数字またはアルファベットなどがシーケンスにナンバリングされていく。すなわち，“＿Ｉｎ−００１”，“＿Ｉｎ−００２”，…，“＿Ｉｎ−００３”のように例示することができる。
【００２９】
上述したエッセンスマークファイル１６２には，上記タイミングでエッセンスマークが付されたフレームのフレーム番号等の識別子と，そのフレームに付されたエッセンスマークとが対応付けられて記録されている。また，フレームにエッセンスマークが付された日時などを各フレーム番号と関連付けて記録してもよい。
【００３０】
したがって，映像コンテンツに記述されたエッセンスマークを，本実施形態にかかる映像編集支援方法を実施する際に利用することによって，目的とする映像シーンを迅速に見つけ出すことが可能となる。具体的には例えば，ユーザは撮像時に任意にショットマーク１などのエッセンスマークを注目すべき映像シーン付近のフレームに付与することができるので，編集時にそのエッセンスマークが付されているフレームを探すことによって，注目すべき映像シーンを容易に見つけ出すことができる。また，撮像装置１０２が自動的にフレームに付与する大音量マークやフラッシュマーク等のエッセンスマークは，そのエッセンスマークが付されたフレーム付近の映像が他の部分とは異なる特徴を有することを示しているため，編集時にそのような特徴を有する映像を探す場合に役立てることができる。
【００３１】
以上，エッセンスマークについて説明した。次に，図２から図１１を参照して本実施形態にかかる映像編集支援方法について詳細に説明する。
【００３２】
以下では，本実施形態にかかる編集支援装置の一例である撮像装置１０２において映像編集支援方法を実施する場合について説明する。
【００３３】
撮像装置１０２はまず，複数の種類よりなるエッセンスマークと映像コンテンツとの関連付けを行う。具体的には上述の通り，撮像時にユーザからの指定により，または特定のタイミングでフレームに適切なエッセンスマークを付与するべくエッセンスマークとフレームの識別子を関連付けてエッセンスマークファイル１６２に記録する。
【００３４】
その後，ステップＳ１０２で，撮像装置１０２はメディア１１６に記録されている映像コンテンツを再生し，例えばモニタ１１０において映像が再生される。図４は，モニタ１１０の再生画面４０２に映像コンテンツが再生されている状態の一例を示す。通常は，メディア内に複数記録されているクリップが，記録された順に順次再生される。
【００３５】
その状態でユーザが撮像装置１０２の所定ボタンを押下すると，撮像装置１０２は現在再生しているクリップ内のエッセンスマーク（図中ではＥＭ）を探すか否かをユーザに選択させる（Ｓ１０４）。目的とする映像シーンが現在再生されているクリップ内にあることをユーザが分かっている場合などにはそのクリップ内でエッセンスマークが付されたフレームを検索することによって目的の映像シーンを迅速かつ効率的に見つけ出すことができる。
【００３６】
特定のクリップ（例えばクリップ番号０００１のクリップ。以後，クリップ１と称する。）が再生された状態で，ユーザがエッセンスマーク選択画面を表示させるべく所定のボタンを押下すると（Ｓ１０６），撮像装置１０２はエッセンスマーク選択画面をモニタ１１０の再生画面４０２に表示する（Ｓ１０８）。図５は，特定のクリップ内でエッセンスマークが付されたフレームを検索する場合に再生画面４０２に表示されるエッセンスマーク選択画面の一例である。再生されている映像の上に，フレームと関連付けることができるエッセンスマークの種類のリストの一例であるエッセンスマーク選択リスト５０２が表示されている。
【００３７】
ユーザは，エッセンスマーク選択リスト５０２から所望のエッセンスマークを選択し（Ｓ１１０），選択を決定するべく所定のボタンを押下する（Ｓ１１２）。撮像装置１０２は，クリップ１内において，選択されたエッセンスマークが付されているフレームのサムネイルリストを再生画面４０２に表示する（Ｓ１１４）。具体的には例えば，撮像装置１０２は，エッセンスマーク選択リスト５０２からユーザによって選択されたエッセンスマークをキーにして，メディア１１６内でクリップ１に関するデータが格納されているクリップ毎のフォルダ内のエッセンスマークファイルを検索し，当該エッセンスマークと関連付けて記録されているフレーム番号を全て取得する。その後，取得したフレーム番号に基づいて圧縮映像ファイルからそのフレーム番号に対応するフレームを取得し，そのフレームを圧縮してサムネイルを作成する。取得したフレーム番号の全てについて同様にサムネイルを作成し，作成したサムネイルを再生画面４０２に一覧表示する。なお，ビデオファイルから該当フレームを取得してサムネイルを作成してもよいが，容量の小さい圧縮映像ファイルを使用することによってより迅速にサムネイルを作成することができる。
【００３８】
図６は，再生画面４０２にサムネイルリストが表示されている状態の一例を示す。ステップＳ１１２で，図５のエッセンスマーク選択リストにおいてエッセンスマーク「ＳＨＯＴ  ＭＡＲＫ２」が選択されたため，図６の再生画面４０２には，ショットマーク２が付されたフレームに対応するサムネイル６１０ａ〜６１０ｌが表示されている。符号６０２は，サムネイルに対応するフレームに関連付けられているエッセンスマークの種類である。かかる表示により，現在表示されているサムネイルが何であるのかをユーザが知ることができる。
【００３９】
符号６０４は，選択されているサムネイル／全サムネイル数である。つまり，ユーザがステップＳ１１２で選択したエッセンスマークが付されたフレームがクリップ１内にいくつ存在しているかと，現在ユーザが選択しているサムネイルが，全フレーム中の何番目に該当するのかを表示しており，図６の例によれば，クリップ１内にはショットマーク２が付されたフレームは３１個存在し，現在ユーザが選択しているサムネイル６１０ｆはその中の６番目のフレームに対応するサムネイルである。
【００４０】
なお，再生画面４０２にはサムネイルは６１０ａ〜６１０ｌの１２個しか表示されていないが，所定のボタンを押下するなどして，残りの１９個のサムネイルを再生画面４０２に順次表示させることが可能である。本実施形態においてサムネイルの表示順は，フレーム番号の若い順であり撮像の時系列に沿っている。ただし，サムネイルの表示順はかかる例には限定されず，任意に設定可能である。かかる表示により，ユーザは所望のエッセンスマークが付されたフレームがいくつあるのかを即座に知ることができる。特に，メディア１１６がランダムアクセス可能な光ディスクまたは光磁気ディスクであれば，撮像装置１０２はエッセンスマークが付されたフレームの総数の取得等の処理を所望のデータに直接アクセスすることによって迅速に行うことができる。
【００４１】
符号６０６は，選択されているサムネイルに対応するフレームの記録日時である。撮像装置１０２は，メディア１１６内でクリップ１に関するデータが格納されているクリップ毎のフォルダ内の付加情報ファイルを参照することによって，かかる表示を行うことができる。また，フレームの記録日時ではなく，フレームにエッセンスマークが記録された日時を，エッセンスマークファイルを参照して表示するようにしてもよい。
【００４２】
符号６０８は，選択されているサムネイルに対応するフレームのカウンタである。具体的には例えば，クリップ１の記録開始時から当該フレームが記録されるまでの経過時間を示している。または，メディア１１６内の全クリップ内でのカウンタとして，メディア１１６の最初のクリップの記録開始時からの経過時間を示すようにしてもよい。
【００４３】
ユーザが再生画面４０２のサムネイルリストから所望のサムネイルを選択すると（Ｓ１１６），選択されたサムネイルが図６に示されているように選択表示される（Ｓ１１８）。ユーザが選択したサムネイルに対応するフレームを再生画面４０２に表示させるべく所定のボタンを押下すると（Ｓ１２０），該当フレームが再生画面４０２に全面表示される（Ｓ１２２）。具体的には例えば，撮像装置１０２は，選択されたサムネイルに対応するフレームをメディア１１６内でクリップ１に関するデータが格納されているクリップ毎のフォルダ内のビデオファイルから取得して再生画面４０２に表示する。図７は，ユーザがステップＳ１２０で図６において選択したサムネイルに対応するフレームが再生画面４０２に全面表示されている状態の一例を示す。その後，撮像装置１０２は当該フレームから映像の再生を開始するなどしてもよい。撮像装置１０２が上記の如く本実施形態にかかる映像編集支援方法を実施することによって，ユーザは，エッセンスマークが付されたフレームに対応するサムネイルを見ながら目的の映像シーンを迅速かつ簡便に見つけ出すことができる。
【００４４】
ステップＳ１０４で，ユーザが再生されているクリップ内からエッセンスマークを探さない場合には，ステップＳ１２４に進む。ステップＳ１２４で撮像装置１０２は，エッセンスマークをメディア１１６全体か，エディットリスト内のどちらから探すかを選択させる。エディットリストとは，映像コンテンツの所望の再生部分を識別可能な再生リストの一例であって，ユーザによって予め作成されたものである。つまり，メディア１１６に記録されている複数の映像コンテンツから，ユーザが再生したい映像シーンを任意に抜き出してその再生順序をリスト化したものであって，具体的には例えば，抜き出した映像シーンが属するクリップを特定するクリップ番号等と，その映像シーンの開始フレーム番号および終了フレーム番号などを１セットとして，そのセットを再生したいシーンの数だけ再生したい順に並べたリストである。なお，エディットリストを作成する際にエッセンスマークの編集開始マーク“＿Ｉｎ−ＸＸＸ”および編集終了マーク“＿Ｏｕｔ−ＸＸＸ”を用いて行うこともでき，その場合には，エディットリストには開始フレーム番号，終了フレーム番号の代わりに，その編集開始マークおよび編集終了マークを用いることもできる。
【００４５】
以後，任意の開始フレーム番号，終了フレーム番号または編集開始マーク，編集終了マークによって区切られた一つの映像シーンに対応する映像コンテンツを，１テイクの映像コンテンツを示すクリップと区別してサブクリップと称する。
【００４６】
撮像装置１０２がエディットリストに従って映像コンテンツの再生を行う際には，エディットリストに記録されているクリップ番号と開始フレーム番号，終了フレーム番号または編集開始マーク，編集終了マークを参照して，メディア１１６内で対応するクリップのデータが格納されているフォルダ内のビデオファイルの該当開始フレームを取得することによって，その開始フレームから終了フレームまでを再生することができる。または，予めビデオファイルからサブクリップを作成してメディア１１６内にビデオファイルとは別に格納しておき，再生時に使用してもよい。
【００４７】
ステップＳ１２４で，ユーザがメディア１１６全体からエッセンスマークを付されたフレームを探す場合には，まずユーザはメディア１１６内の全てのクリップの先頭画像のサムネールを再生画面４０２に表示させるべく所定のボタンを押下する（Ｓ１２６）。撮像装置１０２は，メディア１１６内の全クリップの先頭画像を再生画面４０２に表示する（Ｓ１２８）。具体的には例えば，各クリップの先頭フレームを圧縮映像コンテンツから取得してサムネイル画像を作成し，表示する。
【００４８】
図８は，メディア１１６内の各クリップの先頭画像のリストが再生画面４０２に表示されている状態の一例を示す。サムネイル８１０ａ〜８１０ｌは，メディア１１６内の各クリップの先頭フレームのサムネイルである。再生画面４０２には１２個しか表示されていないが，メディア１１６内に１３個以上のクリップが記録されている場合には，所定のボタンを押下するなどして残りのクリップの先頭フレームのサムネイルを順次再生画面４０２に表示させることができる。各クリップの先頭画像を表示することによって，ユーザはメディア１１６に記録されている映像の概要を実際に映像を再生して見なくても把握することができる。
【００４９】
符号８０２は，表示されているサムネイルが各クリップの先頭フレームのものであることを示す。かかる表示により，現在表示されているサムネイルが何であるのかをユーザが知ることができる。符号８０４は，選択されているサムネイル／全サムネイル数である。
【００５０】
符号８０６は，選択されているサムネイルに対応する先頭フレームから開始するクリップの記録日時であり，符号８０８は，選択されているサムネイルに対応する先頭フレームから開始するクリップの記録時間である。撮像装置１０２は，メディア１１６内で当該先頭フレームから開始するクリップに関するデータが格納されているクリップ毎のフォルダ内の付加情報ファイルを参照することによって，かかる表示を行うことができる。
【００５１】
その後，ユーザがステップＳ１０６でエッセンスマーク選択画面を表示させるべく所定のボタンを押下すると，上述のようにステップＳ１０８でエッセンスマーク選択画面が表示される。図９は，メディア１１６全体からエッセンスマークが付されたフレームを検索する場合に再生画面４０２に表示されるエッセンスマーク選択画面の一例である。特定のクリップから検索する場合とほぼ同様であるが，図８で表示画面４０２に表示されているサムネイルの上にエッセンスマーク選択リスト５０２が表示される点で異なる。
【００５２】
以降の処理は，上述した特定のクリップ内からエッセンスマークが付されたフレームを検索する場合と，フレームの検索対象が特定のクリップ内ではなくメディア１１６全体である点で異なるが，再生画面４０２に表示される項目等はほぼ同様である。
【００５３】
ステップＳ１２４でユーザが，メディア１１６全体からではなく，エディットリスト内からエッセンスマークが付されたフレームを探す場合には，まずユーザは所定のボタンを押下するなどしてエディットリストモードにした後に，全てのサブクリップの先頭画像のサムネールを再生画面４０２に表示させるべく所定のボタンを押下する（Ｓ１３４）。撮像装置１０２は，エディットリストに従ってサブクリップの先頭画像を再生画面４０２に表示する（Ｓ１３６）。具体的には例えば，各サブクリップの先頭フレームを圧縮映像コンテンツから取得してサムネイル画像を作成し，表示する。
【００５４】
図１０は，エディットリストに定義された各サブクリップの先頭画像のリストが再生画面４０２に表示されている状態の一例を示す。再生画面４０２にはサムネイルは１２個しか表示されていないが，エディットリストに１３個以上のサブクリップが定義されている場合には，所定のボタンを押下するなどして残りのサブクリップの先頭フレームのサムネイルを順次再生画面４０２に表示させることができる。各サブクリップの先頭画像を表示することによって，ユーザはエディットリストに従って再生される映像の概要を，実際に再生しなくても把握することができる。また，エディットリスト内からエッセンスマークが付されたフレームを探すことができれば，ユーザは，メディア１１６内の映像コンテンツから予め抜き出した再生したい部分のみを対象として目的の映像シーンを探すことができるため，効率的である。
【００５５】
符号９０２は，表示されているサムネイルがサブクリップの先頭フレームのものであることを示す。かかる表示により，現在表示されているサムネイルが何であるのかをユーザが知ることができる。符号９０４は，選択されているサムネイル／全サムネイル数である。
【００５６】
符号９０６は，選択されているサムネイルに対応するフレームから開始するサブクリップの記録日時である。撮像装置１０２は，エディットリストを参照して当該フレームから開始するサブクリップが属するクリップ番号を取得し，そのクリップに関するデータが格納されているクリップ毎のフォルダ内の付加情報ファイルを参照することによって，かかる表示を行うことができる。
【００５７】
符号８０８は，選択されているサムネイルに対応するフレームから開始するサブクリップの記録時間である。
【００５８】
その後，ユーザがステップＳ１０６でエッセンスマーク選択画面を表示させるべく所定のボタンを押下すると，上述のようにステップＳ１０８でエッセンスマーク選択画面が表示される。図１１は，エディットリスト内からエッセンスマークが付されたフレームを検索する場合に再生画面４０２に表示されるエッセンスマーク選択画面の一例である。特定のクリップから検索する場合とほぼ同様であるが，図１０で表示画面４０２に表示されているサムネイルの上にエッセンスマーク選択リスト５０２が表示される点で異なる。
【００５９】
以降の処理は，上述した特定のクリップ内からエッセンスマークが付されたフレームを検索する場合と，フレームの検索対象が特定のクリップ内ではなくエディットリスト内である点で異なるが，再生画面４０２に表示される項目等はほぼ同様である。
【００６０】
以上，本実施形態にかかる映像編集支援方法について説明した。なお，映像編集方法は，撮像装置１０２だけではなく，第１再生装置１０４，第２再生装置１１４等でも実施可能である。その場合，ユーザは処理を進めるために上記のように所定のボタンを押下してもよいし，マウス等のポインティングデバイスでクリックするなどしてもよいし，または音声入力を行うようにしてもよい。
【００６１】
また，上記では撮像装置１０２がメディア１１６に記録されているデータに基づいてサムネイルやフレームなどを表示するように説明したが，かかる例には限定されず，メディア１１６の代わりに撮像装置１０２が備えるハードディスクにデータを格納し，ハードディスクに格納されているデータに基づいて表示しても構わない。
【００６２】
以上，添付図面を参照しながら本発明の好適な実施形態について説明したが，本発明は係る例に限定されないことは言うまでもない。当業者であれば，特許請求の範囲に記載された範疇内において，各種の変更例または修正例に想到し得ることは明らかであり，それらについても当然に本発明の技術的範囲に属するものと了解される。
【産業上の利用可能性】
【００６３】
本発明は，映像編集支援方法に適用可能であり，特に映像を繰り返し見なくても所望の映像シーンを見つけ出すことが可能な映像編集方法に適用可能である。
【図面の簡単な説明】
【００６４】
【図１】本発明の本実施形態にかかる映像編集支援方法を実施することの可能な編集支援装置を示す説明図である。
【図２】同実施の形態におけるエッセンスマークを示す説明図である。
【図３】同実施の形態における映像編集支援方法のフローチャートである。
【図４】同実施の形態における映像編集支援方法の実施時に表示される画面を示す説明図である。
【図５】同実施の形態における映像編集支援方法の実施時に表示される画面を示す説明図である。
【図６】同実施の形態における映像編集支援方法の実施時に表示される画面を示す説明図である。
【図７】同実施の形態における映像編集支援方法の実施時に表示される画面を示す説明図である。
【図８】同実施の形態における映像編集支援方法の実施時に表示される画面を示す説明図である。
【図９】同実施の形態における映像編集支援方法の実施時に表示される画面を示す説明図である。
【図１０】同実施の形態における映像編集支援方法の実施時に表示される画面を示す説明図である。
【図１１】同実施の形態における映像編集支援方法の実施時に表示される画面を示す説明図である。
【図１２】同実施の形態における映像編集支援方法の実施時に利用されるデータの記録形式を示した説明図である。
【符号の説明】
【００６５】
１０２      撮像装置
１０４      第１再生装置
１０６      第２再生装置
１０８      ビューファインダ
１１０      モニタ
１１２，１１４      ディスプレイ
１１６      メディア
【図１】
2005236906.tif 000003
【図２】
2005236906.tif 000004
【図３】
2005236906.tif 000005
【図４】
2005236906.tif 000006
【図５】
2005236906.tif 000007
【図６】
2005236906.tif 000008
【図７】
2005236906.tif 000009
【図８】
2005236906.tif 000010
【図９】
2005236906.tif 000011
【図１０】
2005236906.tif 000012
【図１１】
2005236906.tif 000013
【図１２】
2005236906.tif 000014